(57)【特許請求の範囲】
【請求項１】
画像を被投写面に投写する投写型表示装置において、
光源と、
前記光源からの光を映像信号に基づいて変調する光変調素子と、
前記光変調素子へ向かう光を絞る絞り部と、
前記絞り部を制御する制御部と、
前記画像の明るさを検出する検出部と、
前記画像が静止画または動画のどちらであるかを判別する判別部と、を備え、
前記制御部は、
前記検出部が検出する画像の明るさが所定の暗さより暗いときに、前記光を絞るように前記絞り部を動作させるとともに、前記検出部が検出する画像の明るさが前記所定の暗さより暗くなるほど前記光をより絞るように前記絞り部を動作させ、
前記画像が前記動画であるときよりも前記画像が前記静止画であるときの方が、前記絞り部を動作させる前記所定の暗さを暗くする、
ことを特徴とする投写型表示装置。
【請求項２】
請求項１に記載の投写型表示装置において、
前記判別部は、前記映像信号の水平同期周波数に基づいて前記画像が静止画または動画のどちらであるかを判別する、
ことを特徴とする投写型表示装置。
【請求項３】
請求項１または２に記載の投写型表示装置において、
前記検出部は、前記映像信号に含まれる輝度情報から前記画像の平均輝度を求め、当該平均輝度に基づいて前記画像の明るさを検出する、
ことを特徴とする投写型表示装置。
【請求項４】
請求項１ないし３の何れか一項に記載の投写型表示装置において、
前記制御部は、前記画像が動画であると判別された場合、前記絞り部が動作可能な開閉範囲よりも小さな開閉範囲において、前記絞り部を変化させる、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
投写型表示装置（以下、「プロジェクタ」という）は、光源からの光を光変調素子で変調し、変調された光（以下、「映像光」という）を被投写面に投写する。
【０００３】
かかるプロジェクタでは、コントラスト感を高めるために、被投写面に投写される画像の輝度に応じて光変調素子に照射される光量を調整する構成が採られ得る。たとえば、光源から光変調素子までの光路中に、開口の大きさ（以下、「開口量」という）が変えられる絞り装置が配される。入力された映像信号から画面平均輝度（ＡＰＬ：average picture level）が求められ、ＡＰＬが小さくなるほど、絞り装置の開口量が少なくされる（たとえば、特許文献１参照）。
【先行技術文献】
【特許文献】
【０００４】
【特許文献１】特開２００８−１５８０１２号公報
【発明の概要】
【発明が解決しようとする課題】
【０００５】
上記のように、絞り装置によって光源からの光量を絞る構成とした場合、光の一部が絞り装置に遮られることに起因して、光変調素子に照射される光量にむらが生じ易い。これにより、被投写面に投写された画像に色むらが生じ易い。
【０００６】
画像が動画の場合には、画像に動きがある（画像が頻繁に移り変わる）ため、色むらが目立ちにくい。また、動画の場合には、映画やＴＶ放送など、画像が様々な色で構成されることが多く、このような場合はさらに色むらが目立ちにくい。よって、実用上、色むらが問題となりにくい。
【０００７】
一方、画像が静止画の場合には、画像に動きがない（画像の移り変わりが非常に遅い）ため、色むらが目立ちやすい。さらに、静止画の場合、プレゼンテーションに用いる資料図面など、画像が少ない色で構成されることも多く、このような場合はさらに色むらが目立ちやすい。
【０００８】
さらに、色むらは、画像が明るいほど目立ちやすい。
【０００９】
このため、画像が静止画であるか動画であるかに係わらず、画像が暗い状態から明るい状態に亘り光量を調整するような構成とした場合には、高いコントラスト感を得ることができるものの、画像が静止画であって明るい状態であるときに、色むらが顕著に目立ってしまう虞がある。
【００１０】
これに対し、画像が暗い状態に限って光量を調整するような構成とすれば、画像が静止画であっても色むらが目立たなくなる。しかしながら、このような構成とすると、画像が動画である場合に、不要にコントラスト感が損なわれることになってしまう。
【００１１】
本発明は、かかる課題に鑑みてなされたものであり、コントラスト感を効果的に高めることができる投写型表示装置を提供することを目的とする。
【課題を解決するための手段】
【００１２】
本発明は、画像を被投写面に投写する投写型表示装置に関する。本発明の投写型表示装置は、前記光変調素子へ向かう光を絞る絞り部と、前記絞り部を制御する制御部と、前記画像の明るさを検出する検出部と、前記画像が静止画または動画のどちらであるかを判別する判別部とを備える。ここで、前記制御部は、前記検出部が検出する画像の明るさが所定の暗さより暗いときに、前記光を絞るように前記絞り部を動作させるとともに、前記検出部が検出する画像の明るさが前記所定の暗さより暗くなるほど前記光をより絞るように前記絞り部を動作させる。さらに、前記制御部は、前記画像が前記動画であるときよりも前記画像が前記静止画であるときの方が、前記絞り部を動作させる前記所定の暗さを暗くする。
【００１３】
本発明の投写型表示装置によれば、投写される画像が動画である場合に、不要にコントラスト感を損ねてしまうことなく、投写される画像が静止画である場合に、色むらを目立たなくすることができる。
【００１４】
本発明の投写型表示装置において、前記判別部は、前記映像信号の水平同期周波数に基づいて前記画像が静止画または動画のどちらであるかを判別するような構成とされ得る。たとえば、判別部は、検出された水平同期周波数が、ＳＤ（Standard Definition）信号またはＨＤ（High Definition）信号の水平同期周波数に一致していれば、動画であると判別し、これら信号の水平同期周波数に一致していなければ、静止画であると判別する。
【００１５】
このような構成とすれば、簡易な方法により動画と静止画とを判別することができる。
【００１６】
本発明の投写型表示装置において、前記検出部は、前記映像信号に含まれる輝度信号から前記画像の平均輝度を求め、当該平均輝度に基づいて前記画像の明るさを検出するような構成とされ得る。
【００１７】
本発明の投写型表示装置において、前記制御部は、前記画像が動画であると判別された場合、前記絞り部が動作可能な開閉範囲よりも小さな開閉範囲において、前記絞り部を変化させるような構成とされ得る。
【００１８】
このような構成とすれば、絞り部の開閉範囲が小さくなるため、開閉速度が遅くても、色むらが変化していく様が画像に現われにくい。よって、動画において、色むらの状態の変化に基づく色むらの目立ちが抑えられる。
【発明の効果】
【００１９】
以上のとおり、本発明によれば、コントラスト感を効果的に高めることができる投写型表示装置を提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係るプロジェクタの構成を示す図である。
【図２】実施の形態に係る光学エンジンの構成を示す図である。
【図３】実施の形態に係るプロジェクタの回路系の構成を示す図である。
【図４】実施の形態に係る、投写される画像が静止画である場合および動画である場合のＡＰＬと可変絞りの開口量との関係を示す図である。
【図５】実施の形態に係る可変絞りの制御に係る処理動作を示すフローチャートである。
【図６】動画用の絞り制御の変更例について説明するための図である。
【発明を実施するための形態】
【００２２】
以下、図面を参照して、実施の形態に係るプロジェクタについて説明する。
【００２３】
図１は、プロジェクタの構成を示す図である。同図を参照して、プロジェクタは、横長の略直方体形状を有するキャビネット１０を備えている。キャビネット１０には、前面左側に投写窓１０１が形成されており、前面右側および右側面にキャビネット１０内部から排気を行うための排気口１０２、１０３がそれぞれ形成されている。また、キャビネット１０の上面には、操作部１０４が設けられている。操作部１０４には、複数の操作キーが配されている。
【００２４】
キャビネット１０の内部には、光学エンジン２０および投写レンズ３０が配されている。光学エンジン２０は、映像信号に基づいて変調された映像光を生成する。光学エンジン２０には、投写レンズ３０が装着されており、投写レンズ３０の前端部が、投写窓１０１から前方に露出している。投写レンズ３０は、光学エンジン２０で生成された映像光を、プロジェクタの前方に配されたスクリーン面に拡大投写する。
【００２５】
図２は、光学エンジン２０の構成を示す図である。
【００２６】
光源ランプ２０１は、白色光を発する発光体と、発光体から発せられた光を反射するリフレクターとを備えている。発光体としては、たとえば、超高圧水銀ランプ、キセノンランプ等が用いられる。
【００２７】
光源ランプ２０１から出射された白色光は、フライアイインテグレータ２０２、ＰＢＳアレイ２０３、コンデンサレンズ２０４を通過する。フライアイインテグレータ２０２は一対のレンズ２０２ａ、２０２ｂからなり、各レンズ２０２ａ、２０２ｂは蠅の目状に配列された多数の小レンズから構成されている。これら小レンズによって入射された光が分割される。分割された各光は、コンデンサレンズ２０４により液晶パネル（後述する）に重畳される。これにより、液晶パネルに照射される光の光量分布が均一化される。また、フライアイインテグレータ２０２により分割された各光は、ＰＢＳアレイ２０３によって偏光方向が一方向に揃えられる。
【００２８】
フライアイインテグレータ２０２のレンズ２０２ａとレンズ２０２ｂとの間には、可変絞り２０５が配されている。可変絞り２０５は、一対の開閉扉２０５ａと、これら開閉扉２０５ａを、それぞれ回動可能に支持する軸部２０５ｂとを備える。軸部２０５ｂには、後述する駆動モータ２０５ｃ（図３参照）が、図示しない伝達機構を介して連結されている。駆動モータ２０５ｃが動作すると、図の矢印のごとく、２つの開閉扉２０５ａが連動して開閉する。開閉扉２０５ａの開口量に応じて光源からの光量が絞られる。一対の開閉扉２０５ａが完全に開放されると、ほぼ全ての光が可変絞り２０５を通過し、一対の開閉扉２０５ａが完全に閉鎖されると、ほぼ全ての光が可変絞り２０５によって遮蔽される。
【００２９】
コンデンサレンズ２０４を通過した光は、ダイクロイックミラー２０６に入射される。ダイクロイックミラー２０６は、入射された光のうち、赤色波長帯の光（以下、「Ｒ光」という）と緑色波長帯（以下、「Ｇ光」という）を透過し、青色波長帯（以下、「Ｂ光」という）を反射する。
【００３０】
ダイクロイックミラー２０６を透過したＲ光およびＧ光は、ダイクロイックミラー２０
７に入射する。ダイクロイックミラー２０７は、Ｒ光を透過しＧ光を反射する。
【００３１】
ダイクロイックミラー２０７を透過したＲ光は、リレーレンズ２０８および反射ミラー２０９、２１０によってコンデンサレンズ２１１に導かれ、コンデンサレンズ２１１を通過して液晶パネル２１２に照射される。液晶パネル２１２は、赤色用の映像信号に応じて駆動され、その駆動状態に応じてＲ光を変調する。なお、液晶パネル２１２の入射側には、図示しない入射側偏光板が配されており、入射側偏光板を介して液晶パネル２１２にＲ光が照射される。また、液晶パネル２１２の出射側には図示しない出射側偏光板が配されており、液晶パネル２１２から出射されたＲ光が出射側偏光板に入射される。
【００３２】
ダイクロイックミラー２０７で反射されたＧ光は、コンデンサレンズ２１３を通過して液晶パネル２１４に照射される。液晶パネル２１４は、緑色用の映像信号に応じて駆動され、その駆動状態に応じてＧ光を変調する。なお、液晶パネル２１４の入射側には、図示しない入射側偏光板が配されており、入射側偏光板を介して液晶パネル２１４にＧ光が照射される。また、液晶パネル２１４の出射側には図示しない出射側偏光板が配されており、液晶パネル２１４から出射されたＧ光が出射側偏光板に入射される。
【００３３】
ダイクロイックミラー２０６で反射されたＢ光は、反射ミラー２１５によってコンデンサレンズ２１６に導かれ、コンデンサレンズ２１６を通過して液晶パネル２１７に照射される。液晶パネル２１７は、青色用の映像信号に応じて駆動され、その駆動状態に応じてＢ光を変調する。なお、液晶パネル２１７の入射側には、図示しない入射側偏光板が配されており、入射側偏光板を介して液晶パネル２１７にＢ光が照射される。また、液晶パネル２１７の出射側には図示しない出射側偏光板が配されており、液晶パネル２１７から出射されたＢ光が出射側偏光板に入射される。
【００３４】
液晶パネル２１２、２１４、２１７によって変調され、出射側偏光板から出射されたＲ光、Ｇ光、Ｂ光は、ダイクロイックプリズム２１８に入射する。ダイクロイックプリズム２１８は、Ｒ光、Ｇ光およびＢ光のうち、Ｒ光とＢ光を反射するとともにＧ光を透過し、これにより、Ｂ光、Ｇ光およびＲ光を色合成する。こうして、色合成された映像光が、ダイクロイックプリズム２１８から投写レンズ３０に向けて出射される。
【００３５】
なお、光学エンジン２０を構成する光変調素子としては、上記透過型の液晶パネル２１２、２１４、２１７の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００３６】
図３は、プロジェクタの回路系の構成を示す図である。
【００３７】
入力切替回路４０１は、複数の入力端子の中から接続する入力端子を切り替える。入力切替回路４０１によって接続された入力端子から映像信号が入力される。入力された映像信号がアナログ信号である場合には、Ａ／Ｄコンバータ４０２によってデジタル信号に変換されて映像信号処理回路４０３に入力される。なお、映像信号がデジタル信号である場合には、Ａ／Ｄコンバータ４０２を介することなく映像信号処理回路４０３に入力される。
【００３８】
映像信号処理回路４０３は、スケーリング補正(画素数の補正)、ガンマ補正など各種の補正処理を行う。また、映像信号処理回路４０３は、入力された映像信号がＲＧＢ信号以外の形式、たとえば、輝度信号と色差信号の形式である場合には、補正処理された映像信号を、さらにＲＧＢの信号に変換してパネル駆動部４０４に出力する。パネル駆動部４０
４は、入力されたＲＧＢ信号に従って液晶パネル２１２、２１４、２１７を駆動する。
【００３９】
映像信号処理回路４０３は、画像判別回路４０３ａと輝度検出回路４０３ｂとを含む。
【００４０】
画像判別回路４０３ａは、入力された映像信号の水平同期周波数を検出し、検出した水平同期周波数に基づいて、ＳＤ信号またはＨＤ信号の水平同期周波数と一致するか否かを判定する。ＳＤ信号は、表示規格（解像度）がＳＤ（Standard Definition）の映像信号であり、ＨＤ信号は、表示規格（解像度）がＨＤ（High Definition）の映像信号である。
【００４１】
映像信号がＳＤ信号またはＨＤ信号の場合、動画である可能性が高い。一方、映像信号がＳＤ信号やＨＤ信号でない、たとえば、ＸＧＡ、ＶＧＡ等の表示規格（解像度）の信号である場合には、パソコンからの出力であることが多く、静止画である可能性が高い。
【００４２】
よって、画像判別回路４０３ａは、検出した水平同期周波数が、ＳＤ信号またはＨＤ信号の水平同期周波数と一致すれば、動画であることを示す判別信号をＣＰＵ４０７へ出力する。一方、画像判別回路４０３ａは、検出した水平同期周波数が、ＳＤ信号またはＨＤ信号の水平同期周波数と一致しなければ、静止画であることを示す判別信号をＣＰＵ４０７へ出力する。
【００４３】
輝度検出回路４０３ｂは、映像信号に含まれる輝度信号を用いて１フレーム分の画像の画面平均輝度（ＡＰＬ：average picture level）を求め、求めたＡＰＬを検出信号としてＣＰＵ４０７へ出力する。なお、入力された映像信号がＲＧＢ信号の場合には、ＲＧＢ信号から所定の演算によって輝度が算出され、算出された輝度からＡＰＬが求められる。
【００４４】
キー入力回路４０５は、操作部１０４のキー操作に応じた入力信号をＣＰＵ４０７へ出力する。
【００４５】
メモリ４０６は、ＲＡＭ、ＲＯＭを含む。メモリ４０６には、ＣＰＵ４０７に制御機能を付与するための制御プログラムが記憶されている。また、メモリ４０６には、可変絞り２０５の制御に用いられる２つの制御テーブル（動画用テーブル４０６ａおよび静止画用テーブル４０６ｂ）が記憶されている。動画用テーブル４０６ａは、投写される画像が動画である場合に用いられる。静止画用テーブル４０６ｂは、投写される画像が静止画である場合に用いられる。
【００４６】
動画用テーブル４０６ａには、ＡＰＬと可変絞り２０５の開口量との関係が図４（ａ）に示すような関係となるように、ＡＰＬに対応付けて駆動モータ２０５ｃの制御量（たとえば、原点からのステップ数）が設定されている。投写される画像が動画である場合、図４（ａ）に示すように、ＡＰＬが５０％から０％の範囲において、ＡＰＬが小さくなるほど可変絞り２０５の開口量が少なくされる。可変絞り２０５は、ＡＰＬが５０％のときに全開状態とされ、ＡＰＬが０％のときに全閉状態とされる。また、ＡＰＬが５０％から１００％の範囲において、可変絞り２０５が全開状態とされる。なお、画像全体が真っ黒な場合に、ＡＰＬが０％となり、画像全体が真っ白な場合に、ＡＰＬが１００％となる。
【００４７】
一方、静止画用テーブル４０６ｂには、ＡＰＬと可変絞り２０５の開口量との関係が図４（ｂ）に示すような関係となるように、ＡＰＬに対応付けて駆動モータ２０５ｃの制御量（たとえば、原点からのステップ数）が設定されている。投写される画像が静止画である場合には、図４（ｂ）に示すように、ＡＰＬが５％から０％の範囲において、ＡＰＬが小さくなるほど可変絞り２０５の開口量が少なくされる。可変絞り２０５は、ＡＰＬが５％のときに全開状態とされ、ＡＰＬが０％のときに全閉状態とされる。また、ＡＰＬが５
％から１００％の範囲において、可変絞り２０５が全開状態とされる。
【００４８】
図４（ａ）、（ｂ）に示すように、投写される画像が静止画である場合には、動画である場合に比べて、可変絞り２０５によって絞り動作が行われるＡＰＬの範囲が狭くされる。
【００４９】
ＣＰＵ４０７は、メモリ４０６に記憶された制御プログラムに従って、映像信号処理回路４０３を制御する。また、ＣＰＵ４０７は、制御プログラムに従って、ランプ駆動回路４０８およびモータ駆動回路４０９に制御信号を出力することにより、光源ランプ２０１および駆動モータ２０５ｃを制御する。
【００５０】
ランプ駆動回路４０８は、ＣＰＵ４０７からの制御信号に従って光源ランプ２０１を駆動する。
【００５１】
モータ駆動回路４０９は、ＣＰＵ４０７からの制御信号に従って駆動モータ２０５ｃを駆動する。駆動モータ２０５ｃには、たとえば、ステッピングモータが用いられる。この場合、モータ駆動回路４０９から駆動モータ２０５ｃにパルス電力が供給され、駆動モータ２０５ｃは、パルス数に応じた量だけ回転する。
【００５２】
図５は、可変絞り２０５の制御に係る処理動作を示すフローチャートである。
【００５３】
プロジェクタが起動され、外部から映像信号が入力されると、ＣＰＵ４０７は、画像判別回路４０３ａから判別信号を取得する（Ｓ１）。そして、ＣＰＵ４０７は、取得した判別信号に基づいて、投写される画像が動画であるか静止画であるかを判定する（Ｓ２）。
【００５４】
ＣＰＵ４０７は、投写される画像が動画であると判定すると（Ｓ２：ＹＥＳ）、動画用の絞り制御を行う（Ｓ３）。一方、ＣＰＵ４０７は、投写される画像が静止画であると判定すると（Ｓ２：ＮＯ）、静止画用の絞り制御を行う（Ｓ４）。
【００５５】
以下、絞り制御について具体的に説明する。ここで、絞り制御における開口量の調整は、可変絞り２０５による開閉動作の追従性を考慮して、複数のフレーム単位（以下、この単位を「ブロック」という）で行われる。
【００５６】
ＣＰＵ４０７は、輝度検出回路４０３ｂからＡＰＬを取得すると、各フレームのＡＰＬの平均を取ることにより、１つのブロックにおけるＡＰＬを算出する。次に、ＣＰＵ４０７は、動画用の絞り制御の場合には動画用テーブル４０６ａから、静止画用の絞り制御の場合には静止画用テーブル４０６ｂから、算出したＡＰＬに対応するステップ数を取得する。
【００５７】
メモリ４０６には、現地点のステップ数が記憶されている。ＣＰＵ４０７は、現地点のステップ数をメモリ４０６から取得し、ＡＰＬに対応するステップ数と現時点のステップ数との差分、即ち、実際に駆動モータ２０５ｃを回転させるためのステップ数を求める。そして、ＣＰＵ４０７は、求めたステップ数に対応する制御信号（以下、「ステップ信号」という）をモータ駆動回路４０９へ出力する。これにより、モータ駆動回路４０９からステップ信号に対応するパルス電力が供給されて駆動モータ２０５ｃが回転し、可変絞り２０５の開口量が、算出されたＡＰＬに対応する開口量に設定される。
【００５８】
１つのブロックの映像信号が映像信号処理回路４０３から出力されるタイミングに同期して、そのブロックに対応するステップ信号がＣＰＵ４０７からモータ駆動回路４０９へ出力される。これにより、そのブロックの映像信号に基づいて液晶パネル２１２、２１４
、２１７が駆動されている間、可変絞り２０５が、そのブロックのＡＰＬに応じた開口量となり、開口量に応じた光量が液晶パネル２１２、２１４、２１７に照射される。
【００５９】
こうして、映像信号が入力されている間、ステップＳ３の動画用の絞り制御、あるいはステップＳ４の静止画用の絞り制御が実行され、ブロック毎にＡＰＬに応じて可変絞り２０５の開口量が調整される。
【００６０】
動画用の絞り制御が実行された場合には、図４（ａ）に示すように、ＡＰＬが０％から５０％の範囲において、ＡＰＬが小さくなるほど開口量が小さくなるように、可変絞り２０５が動作される。一方、静止画用の絞り制御が実行された場合には、図４（ｂ）に示すように、ＡＰＬが０％から５％の範囲において、ＡＰＬが小さくなるほど開口量が小さくなるように、可変絞り２０５が動作される。
【００６１】
映像信号の入力が停止すると、かかる処理が終了する。その後、新たな映像信号が入力された場合には、かかる処理が最初から実行される。即ち、判別信号に基づいて、投写される画像が動画であるか静止画であるかが判定され（Ｓ１、Ｓ２）、動画用の絞り制御、あるいは静止画用の絞り制御が実行される（Ｓ３、Ｓ４）。
【００６２】
さて、本実施の形態のように、可変絞り２０５によって光源ランプ２０１からの光量を絞る構成とした場合、開閉扉２０５ａの開閉動作によって、光の一部が可変絞り２０５の開閉扉２０５ａに遮られることに起因して、液晶パネル２１２、２１４、２１７に照射される光量にむらが生じ易い。これにより、被投写面に投写された画像に色むらが生じ易い。
【００６３】
このような色むらは、投写される画像が動画である場合には、画像の動きが速いため目立ちにくいが、投写される画像が静止画である場合には、画像の動きがほとんどないため目立ちやすい。また、投写される画像が明るい場合には、色むらが目立ちやすいが、投写される画像が暗い場合は、色むらが目立ちにくくなる。
【００６４】
本実施の形態では、投写される画像が動画でいるか静止画であるかを判別し、静止画である場合には、動画である場合に比べて、可変絞り２０５により絞り動作が行われるＡＰＬの範囲が狭くされる。よって、投写される画像が動画である場合には、画像が暗な状態から明るい状態に至るまで、広い範囲に亘って可変絞り２０５よる光量調整が行われるので、明るい画像と暗い画像との間に十分な輝度の差を生じさせることができ、コントラスト感を十分に高めることができる。一方、投写される画像が静止画である場合、画像が明るい状態で可変絞り２０５が動作することがないため、色むらを目立ちにくくすることができる。
【００６５】
また、本実施の形態では、映像信号の水平同期周波数に基づいて、映像信号の表示規格（解像度）を判別することにより、投写される画像が静止画であるか動画であるかを判別するようにしているので、簡易な方法にて静止画であるか動画であるかを判別することができる。
【００６６】
＜変更例＞
図６は、動画用の絞り制御の変更例について説明するための図である。
【００６７】
上記実施の形態では、投写される画像が動画である場合、図４（ａ）に示すように、可変絞り２０５を全開状態から全閉状態の間で動作させるようにしている。
【００６８】
これに対し、本変更例では、投写される画像が動画である場合、図６に示すように、可
変絞り２０５の動作範囲を制限するようにしている。即ち、投写される画像が静止画である場合に比べて、可変絞り２０５の動作範囲が小さくなるようにしている。
【００６９】
このため、本変更例では、メモリ４０６に、上記実施の形態とは異なる動画用テーブル４０６ａが記憶される。本変更例の動画用テーブル４０６ａには、ＡＰＬと可変絞り２０５の開口量との関係が図６に示すような関係となるように、ＡＰＬに対応付けて駆動モータ２０５ｃの制御量（たとえば、原点からのステップ数）が設定されている。図６に示すように、ＡＰＬが５０％から０％の範囲において、ＡＰＬが小さくなるほど可変絞り２０５の開口量が少なくされる。可変絞り２０５は、ＡＰＬが５０％のときに全開状態とされ、ＡＰＬが０％のときに予め定められた開口量とされる。また、ＡＰＬが５０％から１００％の範囲において、可変絞り２０５が全開状態とされる。
【００７０】
このような構成とすれば、可変絞り２０５の開閉範囲が小さくできるので、開閉扉２０５ａの開閉速度が遅くても、色むらが変化していく様が画像に現われにくい。よって、動画において、色むらの状態の変化に基づく色むらの目立ちが抑えられる。
【００７１】
なお、本変更例は、開閉速度が遅くなる安価な可変絞りを用いる場合に、特に有用である。
【００７２】
また、ＡＰＬが０％であるときの開口量は、色むらの目立ちが抑えられつつ、適正なコントラスト感が得られるように、予め実験等により決定される。
【００７３】
＜その他＞
本発明の実施形態は、上記以外にさらに種々の変更が可能である。
【００７４】
たとえば、上記実施の形態では、画像判別回路４０３ａが、入力された映像信号の水平同期周波数を検出し、検出した水平同期周波数に基づいて、投写される画像が動画であるか静止画であるかを判別するような構成とされている。しかしながら、これに限らず、たとえば、画像判別回路４０３ａが、予め定められた期間（フレーム数）の間に、１フレーム分の全て輝度信号に変化があるか否かを検出することにより、動画と静止画とを判別するような構成とされても良い。この場合、１フレーム分の全ての輝度信号に変化がなければ、静止画と判定される。一方、何れかの輝度信号に変化が見られれば、動画と判定される。
【００７５】
また、上記実施の形態では、輝度検出回路４０３ｂが、映像信号に含まれる輝度信号を用いて１フレーム分の画像のＡＰＬを求め、求めたＡＰＬを検出信号として出力するような構成とされている。即ち、ＡＰＬは、画像を構成する各画素の輝度を平均した値である。しかしながら、これに限らず、たとえば、輝度検出回路４０３ｂは、画像を構成する各画素の輝度を合算し、合算した輝度を検出信号として出力するような構成とされても良い。
【００７６】
さらに、上記実施の形態では、可変絞り２０５が、回動する２つの開閉扉２０５ａにより開口量が変えられるような構成とされている。しかしながら、可変絞り２０５は、開口量が変えられる構成であれば、どのような構成とされても良い。
【００７７】
この他、本発明の実施の形態は、特許請求の範囲に示された技術的思想の範囲内において、適宜、種々の変更が可能である。
【符号の説明】
【００７８】
２０１  光源ランプ（光源）
２１２、２１４、２１７  液晶パネル（光変調素子）
２０５  可変絞り（絞り部）
４０３  映像信号処理回路
４０３ａ  輝度検出回路（検出部）
４０３ｂ  画像判別回路（判別部）
４０７  ＣＰＵ（制御部）
【図１】
0005512484.tif 000002
【図２】
0005512484.tif 000003
【図３】
0005512484.tif 000004
【図４】
0005512484.tif 000005
【図５】
0005512484.tif 000006
【図６】
0005512484.tif 000007